(57)【特許請求の範囲】
【請求項１】
複数の放送局からデジタル放送信号を受信し、受信した各デジタル放送信号に基づいて、デジタル放送信号を送信するデジタル放送信号再送信装置であって、
前記複数の放送局から送信されたデジタル放送信号をチャンネル別に受信する複数の受信部と、
前記受信部によりチャンネル別に受信したデジタル放送信号から、少なくとも１つのセグメントを抽出するセグメント抽出部と、
前記抽出部によりチャンネル毎に抽出したセグメントから、特定の番組を分離するための多重分離情報を抽出する番組情報抽出部と、
前記番組情報抽出部により抽出された各多重分離情報に基づいて、連結後のデジタル放送信号で受信可能なチャンネルのチャンネルリストまたはチャンネルリストを生成するための情報を生成するチャンネルリスト生成部と、
前記チャンネルリスト生成部により生成されたチャンネルリストまたはチャンネルリストを生成するための情報を各セグメントに付加するチャンネルリスト追加部と、
前記チャンネルリスト追加部により前記チャンネルリストまたはチャンネルリストを生成するための情報を付加された各セグメントを連結するセグメント連結部と、
を具えることを特徴とするデジタル放送信号再送信装置。
【請求項２】
請求項１に記載のデジタル放送信号再送信装置において、
前記多重分離情報は、ＰＳＩ／ＳＩである、
ことを特徴とするデジタル放送信号再送信装置。
【請求項３】
請求項１または２に記載のデジタル放送信号再送信装置において、
前記複数の受信部により受信したデジタル放送信号以外の他のデジタル放送信号から、少なくとも１つの他のセグメントを抽出し、該他のセグメントから特定の番組を分離するための他の多重分離情報を抽出するユニットをさらに具え、
前記チャンネルリスト生成部は、前記ユニットにより抽出された他の多重分離情報と、前記番組情報抽出部による抽出された各多重分離情報とに基づいて、連結後のデジタル放送信号で受信可能なチャンネルのチャンネルリストまたはチャンネルリストを生成するための情報を生成する、
ことを特徴とするデジタル放送信号再送信装置。
【請求項４】
請求項１〜３のいずれか１項に記載のデジタル放送信号再送信装置において、
前記生成されたチャンネルリストまたはチャンネルリストを生成するための情報を付加した後の各セグメントのデータ量が、現在の伝送レートで送信できるデータ量を超える場合、少なくとも当該セグメントのコードレートを上げるまたは変調方式を変更する再変調部、
をさらに具えることを特徴とするデジタル放送信号再送信装置。
【請求項５】
請求項４に記載のデジタル放送信号再送信装置において、
当該セグメントのコードレートを上げ、かつ、変調方式を変更しても、当該セグメントのデータ量が、伝送可能なビットレートを超える場合、前記デジタル放送信号に含まれるＮＵＬＬパケットの少なくとも一部を除去して、当該セグメントのデータ量を該伝送可能なビットレート以下に減少させるパケット生成部、
をさらに具えることを特徴とするデジタル放送信号再送信装置。
【発明の詳細な説明】
【技術分野】
【０００１】
本発明は、デジタル放送信号再送信装置に関する。
【背景技術】
【０００２】
近年、デジタル放送を受信・視聴する機能を搭載した携帯端末（典型的には「１セグ機能を搭載した携帯電話端末」）が普及してきている。このような携帯端末のユーザに対応して、ギャップフィラーを使用した限られたエリア内だけの放送サービスも検討されている。これは地下街や地下鉄など固定受信エリア外にギャップフィラーを設置し、そこに１セグのみを抜き出し連結送信することで、地下街で１セグを視聴できるようにするものである。このようなギャップフィラーは、施設保有者などが実施する独自チャンネル(独自放送)を含んだ放送を行うことが多いと予想されている。
【０００３】
デジタル放送波から１セグ(部分受信用のセグメント)のみを抜き出し、連結して送信する方法（特許文献１を参照されたい）がある。また、１セグのみ抜き出して再送信する方法（特許文献２を参照されたい）がある。さらに、部分受信用のセグメントを複数用意する方法（特許文献３を参照されたい）もある。また、地域限定の放送方法（特許文献４を参照されたい）がある。
【０００４】
日本におけるデジタル放送信号は、地上デジタル音声放送(ISDB-Tsb:ISDB for Terrestrial Sound Broadcasting)では1個、または、連続した3個のOFDMセグメントで構成されている。さらに、現在、携帯電話などに搭載されているデジタル放送受信機能については、チャンネルリストは地域毎にテーブル（エリア情報）として固定化されたデータを内蔵しユーザが選択操作を行うか、携帯電話に内蔵されたGPS機能と連動して、内蔵データもしくは携帯電話ネットワークよりエリア情報を取得するか、受信可能な周波数範囲を全てスキャンすることによりサービスされているチャンネルを検出することにより、チャンネルリストを構成していた。
【特許文献１】特開2006-109283号公報
【特許文献２】特開2005-341195号公報
【特許文献３】特開2006-20128号公報
【特許文献４】特開2006-279376号公報
【発明の開示】
【発明が解決しようとする課題】
【０００５】
従来の再送信装置は、地上波の放送波と異なる周波数で再送信することが可能であり、地上波のエリアと受信周波数が異なるため、移動受信機が選局を行うために用いるチャンネルリストを、再度スキャン動作など時間のかかる操作を行うことによって取得する必要があった。再送信装置は、地上波で受信したデジタル放送信号を再送信するだけでなく、再送信エリアでのみ提供可能なローカルチャンネル（独自放送や独自チャンネル）を送信し得るため、地上波でサービスを受けられるチャンネルリストと異なるサービス（即ち番組）が付加されるが、地上波のエリア（例えば、県境のレベルで指定するなど）で構成されるチャンネルリストでは、ローカルチャンネルを含めることができず、ローカルチャンネルのローカル番組を受信することができないという問題がある。
【０００６】
現在の放送網は広域のものが殆どであり、再送信装置のように限られたエリアにのみサービスを行うものが多数設置された場合、それ毎にチャンネルリストを用意する必要があり、受信機にチャンネルリストのデータ群を内蔵するためには多大なメモリを消費する必要がある。さらに、このような再送信装置は、小規模事業者によって運用されることが多いものと考えられるため、再送信装置の設置、撤廃、チャンネルリストの変更などは頻繁に行われる可能性が高い。このようなチャンネルリストのデータについて、全ての再送信装置のチャンネルリスト（データ）を、常に最新のものに更新し続けることは困難である。
【０００７】
また、再送信装置から送出する放送波を受信し、視聴するエリアとしては、地下街や、地下鉄などの携帯電話のサービス圏外である場所も多数あるため、そのエリア内のサービスの情報を携帯電話ネットワークから取得することも困難である。
【０００８】
そこで、本発明は、移動可能な受信装置が、再送信装置のエリア内に入る毎に必要であったチャンネルスキャンをせずに、または、ネットワーク経由でチャンネルリストを取得しなくても、或いは、再送信装置毎のチャンネルリストを予め保持せずに、受信装置側で受信可能なデジタル放送信号を把握できるようにするデジタル放送信号再送信装置を提供することを目的とする。
【課題を解決するための手段】
【０００９】
上述した諸課題を解決すべく、第１の発明によるデジタル放送信号再送信装置は、
複数の放送局からデジタル放送信号を受信し、受信した各デジタル放送信号に基づいて、デジタル放送信号を送信するデジタル放送信号再送信装置であって、
前記複数の放送局から送信されたデジタル放送信号をチャンネル別に受信する複数の受信部と、
前記受信部によりチャンネル別に受信したデジタル放送信号から、少なくとも１つのセグメントを抽出するセグメント抽出部と、
前記抽出部によりチャンネル毎に抽出したセグメントから、特定の番組を分離するための多重分離情報を抽出する番組情報抽出部と、
前記番組情報抽出部により抽出された各多重分離情報に基づいて、連結後のデジタル放送信号で受信可能なチャンネルのチャンネルリストまたはチャンネルリストを生成するための情報を生成するチャンネルリスト生成部と、
前記チャンネルリスト生成部により生成されたチャンネルリストまたはチャンネルリストを生成するための情報を各セグメントに付加するチャンネルリスト追加部と、
前記チャンネルリスト追加部により前記チャンネルリストを付加された各セグメントを連結するセグメント連結部と、
を具えることを特徴とする。
【００１０】
また、第２の発明によるデジタル放送信号再送信装置は、
前記多重分離情報が、ＰＳＩ／ＳＩである、ことを特徴とする。
【００１１】
また、第３の発明によるデジタル放送信号再送信装置は、
前記複数の受信部により受信したデジタル放送信号以外の他のデジタル放送信号から、少なくとも１つの他のセグメントを抽出し、該他のセグメントから特定の番組を分離するための他の多重分離情報を抽出するユニットをさらに具え、
前記チャンネルリスト生成部は、前記ユニットにより抽出された他の多重分離情報と、前記番組情報抽出部による抽出された各多重分離情報とに基づいて、連結後のデジタル放送信号で受信可能なチャンネルのチャンネルリストまたはチャンネルリストを生成するための情報を生成する、
ことを特徴とする。
【００１２】
また、第４の発明によるデジタル放送信号再送信装置は、
前記生成されたチャンネルリストまたはチャンネルリストを生成するための情報を付加した後の各セグメントのデータ量が、現在の伝送レートで送信できるデータ量を超える場合、少なくとも当該セグメントのコードレートを上げるまたは変調方式を変更する再変調部、
をさらに具えることを特徴とする。
【００１３】
また、第５の発明によるデジタル放送信号再送信装置は、
当該セグメントのコードレートを上げ、かつ、変調方式を変更しても、当該セグメントのデータ量が、伝送可能なビットレートを超える場合、前記デジタル放送信号に含まれるＮＵＬＬパケットの少なくとも一部を除去して、当該セグメントのデータ量を該伝送可能なビットレート以下に減少させるパケット生成部、
をさらに具えることを特徴とする。
【００１４】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。なお、下記の方法やプログラムの各ステップは、データの処理においては必要に応じて、CPU、DSPなどの演算処理装置を使用するものであり、入力したデータや加工・生成したデータなどをHDD、メモリなどの記憶装置に格納するものである。
【００１５】
例えば、本発明を方法として実現させた第６の発明による方法は、
複数の放送局からデジタル放送信号を受信し、受信した各デジタル放送信号に基づいて、デジタル放送信号を送信するデジタル放送信号再送信方法であって、
前記複数の放送局から送信されたデジタル放送信号をチャンネル別に受信するステップと、
チャンネル別に受信したデジタル放送信号から、少なくとも１つのセグメントを抽出するステップと、
チャンネル毎に抽出したセグメントから、特定の番組を分離するための多重分離情報を抽出するステップと、
抽出された各多重分離情報に基づいて、連結後のデジタル放送信号で受信可能なチャンネルのチャンネルリストを生成するステップと、
生成されたチャンネルリストを各セグメントに付加するステップと、
チャンネルリストを付加された各セグメントを連結するステップと、
を含むことを特徴とする。
【発明の効果】
【００１６】
本発明によれば、デジタル放送信号再送信装置は、移動可能な受信装置が、再送信装置のエリア内に入る毎に必要であったチャンネルスキャンをせずに、または、ネットワーク経由でチャンネルリストを取得しなくても、或いは、或いは、各再送信装置別のチャンネルリストを予め保持していなくても、受信装置側で受信可能なデジタル放送信号を把握することが可能となる。
【発明を実施するための最良の形態】
【００１７】
以降、諸図面を参照しながら、本発明の実施態様を詳細に説明する。本発明は再送信装置を対象とするが、当該再送信装置から送信されたデジタル放送信号を受信する受信装置も実施態様にて説明する。
【００１８】
図１は、本発明の一実施態様によるデジタル放送の再送信装置のブロック図である。図に示すように、デジタル放送の再送信装置２００は、受信アンテナ２０１、受信部２０２ａ，２０２ｂ，…，２０２ｎ、セグメント抽出部２０３ａ，２０３ｂ，…，２０３ｎ、番組情報抽出部２０４ａ，２０４ｂ，…，２０４ｎ、チャンネルリスト生成部２０５、チャンネルリスト追加部２０６ａ，２０６ｂ，…，２０６ｎ、セグメント連結部２０７、送信部２０８、および送信アンテナ２０９を具える。受信アンテナ２０１は地上波（デジタル放送信号）を受信し、受信した地上波の信号の各チャンネルを受信するための受信部２０２ａ，２０２ｂ，…，２０２ｎに渡す。本実施態様では、再送信する必要がある地上波のチャンネル数分の系列（受信部や抽出部など）を設けた形式で説明するが、複数の系列を処理する「単一の受信部」或いは「単一の抽出部」などの態様であってもよい。
【００１９】
各々のチャンネルより再送信するセグメントのみを抽出するセグメント抽出部２０３ａ，２０３ｂ，…，２０３ｎでセグメントを抽出し、番組情報抽出部２０４ａ，２０４ｂ，…，２０４ｎによりセグメント抽出部２０３ａ，２０３ｂ，…，２０３ｎで抽出されたデジタル放送信号の特定の番組を分離するための多重分離情報（例えば、ＳＩ／ＰＳＩ情報など）から少なくとも、放送局名、リモコンID（以下、「番組情報」と称する）を抽出する。チャンネルリスト生成部２０５ではチャンネル毎に抽出された番組情報に対して、再配置するべきセグメント及び再送信するべき物理チャンネルにあわせて、各々、物理チャンネル番号、サブチャンネル番号を付与し、チャンネルリストデータを生成する。
【００２０】
チャンネルリスト追加部（付加部）２０６ａ，２０６ｂ，…，２０６ｎは、各々サービスに必要なチャンネルリストデータを、図３で示すようなセクションフォーマットでチャンネルリストデータまたはチャンネルリストを作成するための情報を生成し、チャンネルリストデータまたはチャンネルリストを作成するための情報をパケット化してストリーム内に周期的に配置（付加）する。周期的な配置（付加）の仕方としては、PMT(Program Map Table)と同一周期であることが望ましいが、伝送レートの増加を防ぐためにPMTの２〜３倍程度の周期でもかまわない。チャンネルリストデータまたはチャンネルリストを作成するための情報が１TSパケット内のデータ（184バイト）に収容できない場合には、チャンネルリストデータまたはチャンネルリストを作成するための情報を分割して、複数のTSパケットに配置（付加）して伝送しても良い。
【００２１】
再送信装置２００は、チャンネルリスト付加によってデータ量が増加したストリームに対応するために再変調部２１３ａ，２１３ｂ，…，２１３ｎをさらに具える。追加したチャンネルリストデータまたはチャンネルリストを作成するための情報のTSパケットによりデータ量が増加したストリームが、受信した放送波で使用された変調方式及び誤り訂正用のコードレートで示される伝送レートより高い伝送レートが必要な場合には、再変調部２１３ａ，２１３ｂ，…，２１３ｎにより、コードレートを上げる（例えば1/2から2/3にする）、または変調方式を変更する（例えばQPSKから16QAMに変更する）ことにより、より多くのデータ量を伝送できる適切な伝送レートを確保する。限られたエリアで再送信を行う再送信装置においては地上デジタル放送で運用されている変調方式並びにコードレートをそのまま継承する必要はなく、サービスを行うエリアにおいて必要な品質を確保できる様、変調方式やコードレートの限界モデルをあらかじめ設定し、再変調部２１３ａ，２１３ｂ，…，２１３ｎがそれを超えたパラメータを設定することが無いようにしておくことが望ましい。なお、再変調を行う必要がない場合は、最変調を行わなくてもよい。
【００２２】
再送信装置２００は、再変調部２１３ａ，２１３ｂ，…，２１３ｎによっても増加したデータ量に対応できない場合に対処するためにパケット生成部２１４ａ，２１４ｂ，…，２１４ｎをさらに具える。即ち、追加したチャンネルリストデータまたはチャンネルリストを作成するための情報のTSパケットにより、データ量が増加したストリームが、受信した放送波で使用された伝送レートより高い伝送レートが必要になる場合、パケット生成部２１４ａ，２１４ｂ，…，２１４ｎにより元の放送波のストリームに含まれるNULLパケットを検索し、NULLパケットを除去することにより伝送レートが確保できる場合には、NULLパケットを除去することにより適切な伝送レートを確保する。
【００２３】
セグメント連結部２０７は、再変調部２１３ａ，２１３ｂ，…，２１３ｎから出力されるチャンネル毎のデジタル放送信号を予め定められたセグメント配置に従ってセグメント連結を行う。セグメント連結部２０７で連結されたデジタル放送信号は送信部２０８、送信アンテナ２０９を介して再送信される。
【００２４】
地上波を再送信するのみではなく、光回線などで伝送された放送コンテンツや、記憶部（ストレージシステム）２１２内に格納されている放送コンテンツを連結後のデジタル放送信号に含める場合に対応するために、再送信装置２００は、ISDB-Tフォーマット変換部２１０、光ケーブルインターフェイス２１１、記憶部２１２、チャンネルリスト追加部２０６ｘ、パケット生成部２１４ｘ、および再変調部２１３ｘをさらに具える。このように、受信した地上波（デジタル放送信号）以外のセグメントを連結する場合は、光回線に接続された光ケーブルインターフェイス２１１、また、ストレージシステム２１２から入力される放送コンテンツをISDB-Tフォーマット変換部２１０によりISDB-Tフォーマットの信号へ変換を行う。番組情報は、ISDB-Tフォーマット変換時に抽出を行い、地上波の再送信時のように、チャンネルリストデータまたはチャンネルリストを作成するための情報をパケット化して送信を行う。
【００２５】
図２は、本発明の一実施態様によるデジタル放送受信装置のブロック図である。図に示すように、受信装置１００は、受信部１０１、DEMUX１０２、音声復号部１０３、映像復号部１０４、スピーカー１０５、表示部１０６、字幕処理部１０７、データ放送処理部１０８、およびSI/PSIデコーダ部１０９を具える。また、受信装置１００は、番組情報取得部１１０、チャンネルリストデータ抽出部１１１、一時チャンネルリスト保存部１１２、チャンネルリスト書き換え部１１３、チャンネルリスト記憶部１１４、選局制御部１１５、指定チャンネルリスト記憶部１１６、チャンネルリスト指定部１１７、記憶部１１８、最終チャンネル記憶部１１９、およびアンテナＡＮＴをさらに具える。
【００２６】
受信部１０１は、アンテナＡＮＴにより受信したデジタル放送信号を受け、この受信信号から任意のセグメントのデジタル放送信号を受信する。DEMUX１０２によりデジタル放送信号のデマルチプレクスを行った後、音声ES(Elementary Stream)は音声復号部１０３により復号され、スピーカー１０５を介して音声出力される。映像ESは、映像復号部１０４により復号される。字幕ESは字幕処理部１０７で、データカルーセルに含まれるデータ放送は、データ放送処理部１０８で、それぞれ処理が行われ、最終的には表示部１０６を介して表示される。番組情報取得部１１０は、受信しているデジタル放送信号の番組名や放送局名を取得する。取得した情報は、チャンネル切り替え時、或いは常時、表示部１０６が画面上に表示する。
【００２７】
SI／PSIデコーダ部１０９は、デジタル放送信号に含まれる図３で示されるようなセクションデータ（ＰＳＩ／ＳＩ情報）を検出し、チャンネルリストデータまたはチャンネルリストを作成するための情報の場合には、チャンネルリストデータ抽出部１１１が、チャンネルリストデータまたはチャンネルリストを作成するための情報を抽出し、受信機で必要なフォーマットに再変換してチャンネルリストとして一時チャンネルリスト保存部１１２に保存する。ここで、特定の番組を分離するための多重分離情報を示す、例えば、ＰＳＩ（Program Specific Information）は、番組特定情報と称し、番組を選択するために必要な情報であり、ＳＩ（Service Information）は、番組配列情報と称し、番組選択の利便性のために規定された情報である。また、再送信装置のチャンネルリスト追加部で追加されるチャンネルリストまたはチャンネルリストを作成するための情報は、ＳＩ情報のフィールドに付加することが好適である。前記チャンネルリストデータ抽出部１１１によりチャンネルリストが抽出され、チャンネルリストデータが一時チャンネルリスト保存部１１２に保存された場合、現在デジタルテレビを視聴するために使用している（設定している）「チャンネルリスト記憶部１１４に記録されているチャンネルリストデータ」は、チャンネルリスト書き換え部１１３により、一時チャンネルリスト保存部１１２に保存されている「チャンネルリストデータ」に書き換えられる。当該書き換えを実施することにより、以降のチャンネルリストは現在のデジタル放送信号を受信可能なエリアに限定したチャンネルリストを使用することが可能となる。なお、一時チャンネルリスト保存部１１２、チャンネルリスト記憶部１１４は、同一の不揮発メモリもしくは揮発メモリ内で構成することも可能である。
【００２８】
一般的にチャンネルリストは、デジタル放送受信装置が内部データベースである記憶部１１８に記憶する都道府県などの自治体や地域のエリア毎のチャンネルリストデータや、放送波をスキャンして得られるチャンネルリストデータ、GPS(Global Positioning System)などの測位データを使用してネットワークを使用して取得するチャンネルリストデータなどがあり、これらはユーザーが受信装置の操作を行うことにより、取得・記録されるものである。チャンネルリスト指定部１１７は、例えば、表示部に表示されたチャンネルリストから、ユーザが所望する指定チャンネルリスト（例えば、リスト中に項目番号やエリア名）入力を受け付け、記憶部１１８から当該指定チャンネルリストを読み出し、当該指定チャンネルリストを指定チャンネルリスト記憶部１１６に格納させる。また、記憶部１１８のチャンネルリストは、エリア名（例えば、関東広域、東京都、神奈川県など）とチャンネルリスト名とを対応付けて格納しておくことが好適である。
【００２９】
このようなチャンネルリストデータは、不揮発性メモリまたは揮発性メモリで構成される指定チャンネルリスト記憶部１１６に記憶されている。上述のように一時チャンネルリスト保存部１１２のチャンネルリストに書き換えた後、再送信装置より送信される特定エリア内の放送波を受信できないエリアに移動した場合など、デジタル放送信号を受信できないことを受信部１０１にて検出した場合には、チャンネルリスト指定部１１７が、チャンネルリスト記憶部１１４に記録されたチャンネルリストを破棄し、指定チャンネルリスト記憶部１１６に記録されているチャンネルリストデータに復帰させることにより、地上エリアのデジタル放送信号を受信できることを可能とする。即ち、受信装置１００は、再送信装置２００から送信された「セグメントを連結されたデジタル放送信号」が受信できる間だけ、当該放送信号に対応したチャンネルリストを一時的に用いる。そして、受信装置１００は、再送信装置２００から送信された「セグメントを連結されたデジタル放送信号」が受信できなくなり、通常の広域放送だけを受信する状況になった場合は、速やかに当該チャンネルリストを破棄する。これによって、受信装置のユーザは、受信する放送信号が再送信装置からのものであっても、広域の放送局（装置）からのものであっても、通常の操作でデジタル放送のサービス（番組）を視聴することが可能となる。また、再送信装置２００が、独自放送（独自番組）を実施している場合も、ユーザは、通常のチャンネル操作で、独自放送のセグメントのサービス（番組）を選局することが可能である。
【００３０】
最終チャンネル記憶部１１９は、ユーザにより選択された最終チャンネル情報を格納する。そして、最終チャンネル記憶部１１９は、指定チャンネルリスト記憶部１１６に格納されているチャンネル情報のみを「最終チャンネル情報」として格納するように構成されている。即ち、一時チャンネルリスト保存部１１２に保存されているチャンネルリストデータのチャンネルは、一時的に使用するものであるため、最終チャンネルとして使用する頻度が非常に少ないと考えられるため、最終チャンネルから除外することが好適である。
【００３１】
図３は、本実施態による再送信装置により伝送されるチャンネルリストデータのフォーマットを表す図である。図に示すように、デジタル放送信号はMPEG-2で規定されるTSパケット（トランスポートストリームパケット）の伝送フォーマットに従っている。本例では、TSパケットフォーマットにパケット化されたチャンネルリストデータの一例としてセクション伝送方式で示されるフォーマットにより伝送を行う。チャンネルリストデータは、データバイトフィールドＤ１に格納され、データバイトフィールドＤ１は、チャンネルリストデータ用セクションＦ０−Ｆｎまである。チャンネルリストデータ用セクションＦ０−Ｆｎの各セクションは、リモコンID、物理チャンネル番号、物理サブチャンネル番号、放送局名の長さ（バイト数）、放送局名で構成され、再送信、または独自送信を行う全てのチャンネルのデータを含む構成とする。
【００３２】
＜実施態様１＞
図４は、図１に示した再送信装置で行われる処理の一例（実施態様１）を示すフローチャートである。図に示すように、ステップＳ１１にて、各受信部２０２ａ−２０２ｎは、各チャンネルで放送波を受信する。ステップＳ１２では、各セグメント抽出部２０３ａ−２０３ｎは、各チャンネルの放送波から再送信すべきセグメントを抽出する。次に、ステップＳ１３にて、各番組情報抽出部２０４ａ−２０４ｎが、抽出された各セグメントから番組情報を抽出する。ステップＳ１４では、チャンネルリスト生成部２０５が、各番組情報抽出部２０４ａ−２０４ｎから「抽出された番組情報」を受け、「抽出された番組情報」にそれぞれ物理チャンネルなどを付与した「チャンネルリストデータ」または「チャンネルリストを作成するための情報（データ）」を生成する。
【００３３】
その後、ステップＳ１５にて、「生成したチャンネルリスト」または「チャンネルリストを作成するための情報（データ）」から「チャンネルリストデータ」を生成し、これを各セグメントのストリーム内に周期的に配置（追加）する。次に、ステップＳ１６にて、セグメント連結部２０７が、複数のセグメントを連結して、連結したセグメントを含む放送波を送信して処理を終える。なお、独自放送（独自番組）を光回線や記憶部２１２のデータから再送信する場合は、ステップＳ１１−１３の処理を、ISDB-Tフォーマット変換部２１０が実行し、ステップＳ１４にて、チャンネルリスト生成部２０５が、各番組情報抽出部２０４ａ−２０４ｎおよびISDB-Tフォーマット変換部２１０から「抽出された番組情報」を受け、以下、同様の処理を行う。このように、本実施態様（および以下の全ての実施態様）において、独自方法（独自番組）の番組情報を含むチャンネルリストを生成することが可能である。なお、ステップＳ１５にて、チャンネルリストデータを受信装置が生成するためにその元となるチャンネルリストを作成するための情報を配置（付加）してもよい。
【００３４】
＜実施態様２＞
図５は、図１に示した再送信装置で行われる処理の一例（実施態様２）を示すフローチャートである。図５のステップＳ２１−２５、Ｓ２８は、図４（実施態様１）のステップＳ１１−１５、Ｓ１６と同様の処理であり、説明を省略する。即ち、実施態様２の処理のうち、実施態様１のそれらから変更した処理のみを説明する。図５に示すように、ステップＳ２５を実行した後、ステップＳ２６にて、再変調部２１３ａ−２１３ｎは、セグメント（チャンネル）別に、チャンネルリストデータを配置した後のデータ量を、現在の伝送レートで送信できるか否かを判定する。当該データ量を、現在の伝送レートで送信できないと判定された場合は、少なくともそのような判定がされたセグメント（チャンネル）に対して、ステップＳ２７にて、コードレートを上げる、および／または、変調方式を変更する。当該データ量を、現在の伝送レートで送信できると判定した場合は、ステップＳ２８に進む。後の処理は他の実施態様のそれと同様である。本実施態様によれば、チャンネルリストデータの付加によって単位時間あたりに伝送すべき「データ量」が増加した場合であっても、増加分を伝送レートの増加によって、問題なく放送波を再送信することが可能となる。
【００３５】
＜実施態様３＞
図６は、図１に示した再送信装置で行われる処理の一例（実施態様３）を示すフローチャートである。図６のステップＳ３１−３７、Ｓ４０は、図５（実施態様２）のステップＳ２１−２７、Ｓ２８と同様の処理であり、説明を省略する。即ち、実施態様３の処理のうち、実施態様２のそれらから変更した処理のみを説明する。図６に示すように、ステップＳ３７を実行し後、ステップＳ３８にて、再変調部２１３ａ−２１３ｎが、コードレートを上げ、かつ、変調方式を変更しても、伝送可能なビットレートを超えるか否かを判定する。コードレートを上げ、かつ、変調方式を変更しても、伝送可能なビットレートを超えると判定した場合は、ステップＳ３９にて、パケット生成部２１４ａ−２１４ｎが、少なくともそのような判定をされたセグメント（チャンネル）において、デジタル放送信号に含まれるＮＵＬＬパケットの少なくとも一部を除去して、当該セグメントのデータ量を該伝送可能なビットレート以下に減少させる。後の処理は他の実施態様のそれと同様である。本実施態様によれば、チャンネルリストデータの付加によって単位時間あたりに伝送すべき「データ量」が増加し、コードレートの増加および変調方式の変更でもその増加分を吸収できない場合であっても、増加分をヌルパケットの除去によって、「実効伝送レート」の増加によって、問題なく放送波を再送信することが可能となる。
【００３６】
＜実施態様４＞
図７は、図２に示した受信装置で行われる処理の一例（実施態様４）を示すフローチャートである。図に示すように、ステップＰ１１にて、受信部１０１は、デジタル放送信号を受信する。次に、ステップＰ１２にて、チャンネルリスト記憶部（記録部）１１４は、デジタル放送を視聴するために使用されるチャンネルリストデータを記録する。次に、ステップＰ１３にて、チャンネルリストデータ抽出部１１１が、受信したデジタル放送波に含まれるチャンネルリストデータを抽出する。その後、ステップＰ１４では、一時チャンネルリスト保存部１１２が、抽出したチャンネルリストデータを一時的に保存する。最後にステップＰ１５にて、チャンネルリスト書き換え部１１３が、チャンネルリスト記憶部１１４に記録されているチャンネルリストデータを、一時チャンネルリスト保存部１１２に保存されているチャンネルリストデータに書き換え、処理を終える。上述した処理によって、再送信装置のエリア内に入る毎に必要であったチャンネルスキャンをせずに、またはネットワーク経由でチャンネルリストを取得せずに、或いは、再送信装置別のチャンネルリストを予め保持せずに送信装置から再送信されるデジタル放送信号を受信することがことが可能となる。なお、ステップＰ１３にｔ、チャンネルリストを作成するための情報（データ）を抽出した場合、その情報（データ）に基づいてチャンネルリストデータを生成する。
【００３７】
＜実施態様５＞
図８は、図２に示した受信装置で行われる処理の一例（実施態様５）を示すフローチャートである。図８のステップＰ２１−２５は、図７（実施態様４）のステップＰ１１−１５と同様の処理であり、説明を省略する。即ち、実施態様５の処理のうち、実施態様４のそれらから変更した処理のみを説明する。図８に示すように、ステップＰ２５を実行した後、ステップＰ２６にて、書き換えられたチャンネルリストデータに対応するデジタル放送信号が、受信部１０１により受信できなくなるまで待つ。受信部１０１により受信できなくなった場合は、ステップＰ２７にて、チャンネル書き換え部１１３が、一時チャンネルリスト保存部１１２に保存されている当該チャンネルリストデータを破棄し、チャンネルリスト記憶部１１４に格納されている当該チャンネルリストデータを、チャンネルリスト指定部１１７により受け付けられたチャンネルリストに該当するチャンネルリストデータで書き換える（即ち、書き換え前の状態に戻す）。本構成によれば、デジタル放送受信装置を携行するユーザが、再送信装置の送信エリアから出た後、スムーズに通常の広域エリアのチャンネル（番組）視聴に移行することが可能となる。
【００３８】
本発明の利点を再度述べる。本発明の各実施態様によるデジタル放送信号再送信装置は、再送信を行う周波数、チャンネルに応じたチャンネルリストを再編成し、再送信するデジタル放送信号波に含めて送出することが可能である。また、本発明の各実施態様における放送受信装置では、デジタル放送信号再送信装置が送出するデジタル放送信号により、デジタル放送信号再送信装置毎にサービスされるエリア毎のチャンネルリストの情報を取得することが可能となり、再送信波を確実に受信することが可能となる。さらに、デジタル放送信号再送信装置毎にローカルな放送サービスが実施された場合でも、ローカルな放送サービスの情報をチャンネルスキャン操作などの煩わしい操作を必要とせずに、取得することが可能となる。また、デジタル放送信号再送信装置毎に異なるチャンネルリストを受信装置内に保存しておく必要はなく、少ないメモリでそのエリアにあわせたチャンネルリストを提示することが可能となる。
【００３９】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部、各手段、各ステップなどに含まれる機能などは論理的に矛盾しないように再配置可能であり、複数の手段やステップなどを１つに組み合わせたり、或いは分割したりすることが可能である。
【図面の簡単な説明】
【００４０】
【図１】本発明の一実施態様によるデジタル放送の再送信装置のブロック図である。
【図２】本発明の一実施態様によるデジタル放送の受信装置のブロック図である。
【図３】再送信装置により伝送されるチャンネルリストデータのフォーマットを表す図である。
【図４】図１に示した再送信装置で行われる処理の一例（実施態様１）を示すフローチャートである。
【図５】図１に示した再送信装置で行われる処理の一例（実施態様２）を示すフローチャートである。
【図６】図１に示した再送信装置で行われる処理の一例（実施態様３）を示すフローチャートである。
【図７】図２に示した受信装置で行われる処理の一例（実施態様４）を示すフローチャートである。
【図８】図２に示した受信装置で行われる処理の一例（実施態様５）を示すフローチャートである。
【符号の説明】
【００４１】
１００  受信装置
１０１  受信部
１０３  音声復号部
１０４  映像復号部
１０５  スピーカー
１０６  表示部
１０７  字幕処理部
１０８  データ放送処理部
１０９  SI/PSIデコーダ部
１１０  番組情報取得部
１１１  チャンネルリストデータ抽出部
１１２  一時チャンネルリスト保存部
１１３  チャンネルリスト書き換え部
１１４  チャンネルリスト記憶部
１１５  選局制御部
１１６  指定チャンネルリスト記憶部
１１７  チャンネルリスト指定部
１１８  記憶部
１１９  最終チャンネル記憶部
ＡＮＴ  アンテナ
２００  再送信装置
２０１  受信アンテナ
２０２ａ，２０２ｂ，…，２０２ｎ  受信部
２０３ａ，２０３ｂ，…，２０３ｎ  セグメント抽出部
２０４ａ，２０４ｂ，…，２０４ｎ  番組情報抽出部
２０５  チャンネルリスト生成部
２０６ａ，２０６ｂ，…，２０６ｎ，２０６ｘ  チャンネルリスト追加部
２０７  セグメント連結部
２０８  送信部
２０９  送信アンテナ
２１０  ISDB-Tフォーマット変換部
２１１  光ケーブルインターフェイス
２１２  記憶部
２１２  ストレージシステム
２１２  記憶部
２１３ａ，２１３ｂ，…，２１３ｎ，２１３ｘ  再変調部
２１４ａ，２１４ｂ，…，２１４ｎ，２１４ｘ  パケット生成部
Ｄ１  データバイトフィールド
Ｆ０−Ｆｎ  チャンネルリストデータ用セクション
【図１】
0005053126.tif 000002
【図２】
0005053126.tif 000003
【図３】
0005053126.tif 000004
【図４】
0005053126.tif 000005
【図５】
0005053126.tif 000006
【図６】
0005053126.tif 000007
【図７】
0005053126.tif 000008
【図８】
0005053126.tif 000009